(57)【要約】【課題】  集水器に流れ込んだ雨水をスムーズに排水筒内に誘導して、同集水器から雨水が漏れることなく、スムーズな排水を行うことができる集水器の排水構造を提供することにある。【解決手段】  上面を開口している集水器（１）の側壁に設けた軒樋挿入口（２）に軒樋（４）の端部を挿入して接続し、上記集水器（１）の底部から縦樋に接続する排水筒（３）を垂下した集水器の排水構造において、上記排水筒（３）の上端の開口部分で上記集水器（１）の底面手前側に雨水を整流させる一対の前面整流リブ（７）をハの字型に配置して設けるとともに、同排水筒（３）の上端の開口部分で上記集水器（１）の底面後側に雨水を整流させる一対の後面整流リブ（８）をハの字型に配置して設けた。【選択図】  図１
2005068862.tif 000002
【特許請求の範囲】
【請求項１】
上面を開口している集水器の側壁に設けた軒樋挿入口に軒樋の端部を挿入して接続し、上記集水器の底部から縦樋に接続する排水筒を垂下した集水器の排水構造において、上記排水筒の上端の開口部分で上記集水器の底面手前側に雨水を整流させる一対の前面整流リブをハの字型に配置して設けるとともに、同排水筒の上端の開口部分で上記集水器の底面後側に雨水を整流させる一対の後面整流リブをハの字型に配置して設けたことを特徴とする集水器の排水構造。
【請求項２】
上記前面整流リブおよび上記後面整流リブが、雨水を上記排水筒の内方に誘導する方向へカーブを描いたアール形状にそれぞれ形成されていることを特徴とする請求項１記載の集水器の排水構造。
【請求項３】
上記集水器の中腹部近傍まで上記前面整流リブおよび上記後面整流リブを立ち上げて形成しているものであることを特徴とする請求項１または請求項２記載の集水器の排水構造。
【発明の詳細な説明】
【技術分野】
【０００１】
本発明は、集水器の排水構造に関し、具体的には、軒樋から流れ込む雨水を集水器に集めて集水器から縦樋に排水する際に用いるのに有用な集水器の排水構造に関するものである。
【背景技術】
【０００２】
従来の集水器の排水構造としては、例えば、図４の（ａ）および（ｂ）に示すように構成されたものが知られていた。具体的には、集水器（１）は、上面を開口した角箱状に形成されており、この集水器（１）の両側の対向する側壁には軒樋挿入口（２）が穿孔されており、同集水器（１）の底部の中央には排水筒（３）を一体に垂下してあるものであった。
【０００３】
そして、集水器（１）の軒樋挿入口（２）には軒樋（４）の端部を挿入して接続してあり、上記排水筒（３）には縦樋を接続するようにしてあるものであった。また、集水器（１）の底面の外周にはある程度急勾配の斜面（５）を設けてあるが、この斜面（５）と排水筒（３）の上端の開口の外周との間は水平な平面部（６）となっているものであった。
【特許文献１】特開２００１−１２３６０３号公報
【発明の開示】
【発明が解決しようとする課題】
【０００４】
しかしながら、雨水（Ｗ）が図４の（ａ）に示した矢印（Ａ）方向に流れて集水器（１）内に流れ込み、同集水器（１）の底面に沿って矢印（Ｂ）方向に流れて排水筒（３）に流れ込むが、矢印（Ｂ）方向に両側から流れ込んだ雨水（Ｗ）が排水筒（３）の上面の開口上方で衝突して、その結果、集水器（１）から雨水が漏れてしまったり、スムーズな排水ができないという問題があった。
【０００５】
そこで、図５の（ａ）および（ｂ）に示すごとく、集水器（１）の落とし口部分手前側に垂直方向へ立ち上げた一対の垂直リブ（１１）を設けたが、雨水（Ｗ）が流れる位置よりも低い垂直リブ（１１）であると、この垂直リブ（１１）を超えて、雨水（Ｗ）が集水器（１）の上を通過し、反対側の軒樋（４）の方へ流れてしまうため、結果として、両側から流れ込んだ雨水（Ｗ）が排水筒（３）の上面の開口上方で衝突する問題が依然として起こり、よって、集水器（１）から雨水が漏れてしまったり、スムーズな排水ができないという問題も依然として残るものであった。
【０００６】
また、図５の（ａ）および（ｂ）に示す場合で、雨水（Ｗ）が流れる位置よりも高い垂直リブ（１１）であったとしても、雨水（Ｗ）がこの垂直リブ（１１）のところで跳ねて、その結果、排水筒（３）の上面の開口上方で乱流ができてしまい、この場合も、結果的にはスムーズな排水ができないという問題が依然として残るものであった。
【０００７】
本発明は、上述の事実に鑑みてなされたものであって、その目的とするところは、集水器に流れ込んだ雨水をスムーズに排水筒内に誘導して、同集水器から雨水が漏れることなく、スムーズな排水を行うことができる集水器の排水構造を提供することにある。
【課題を解決するための手段】
【０００８】
上記課題を解決するために、本発明においてはつぎのような技術的手段を講じている。
【０００９】
すなわち、本発明の請求項１に係る集水器の排水構造は、上面を開口している集水器（１）の側壁に設けた軒樋挿入口（２）に軒樋（４）の端部を挿入して接続し、上記集水器（１）の底部から縦樋に接続する排水筒（３）を垂下した集水器の排水構造において、上記排水筒（３）の上端の開口部分で上記集水器（１）の底面手前側に雨水を整流させる一対の前面整流リブ（７）をハの字型に配置して設けるとともに、同排水筒（３）の上端の開口部分で上記集水器（１）の底面後側に雨水を整流させる一対の後面整流リブ（８）をハの字型に配置して設けたことを特徴としている。
【００１０】
本発明の請求項２に係る集水器の排水構造は、上記前面整流リブ（７）および上記後面整流リブ（８）が、雨水を上記排水筒（３）の内方に誘導する方向へカーブを描いたアール形状にそれぞれ形成されていることを特徴としている。
【００１１】
本発明の請求項３に係る集水器の排水構造は、上記集水器（１）の中腹部近傍まで上記前面整流リブ（７）および上記後面整流リブ（８）を立ち上げて形成しているものであることを特徴としている。
【発明の効果】
【００１２】
本発明の集水器の排水構造によると、軒樋（４）から集水器（１）内に流れ込んだ雨水を一対の前面整流リブ（７）および一対の後面整流リブ（８）にて整流させ、両側の軒樋（４）から流れ込んだ雨水（Ｗ）が排水筒（３）の上面の開口上方で衝突することなく誘導させて、同排水筒（３）内に導くことができるものであって、同集水器（１）から雨水が漏れることはなく、雨水をスムーズに排水筒（３）内に整流させながら誘導して、確実な排水を行うことができるものである。
【００１３】
以上のことから、本発明の集水器の排水構造は、集水器（１）に流れ込んだ雨水をスムーズに排水筒（３）内に誘導して、同集水器（１）から雨水が漏れることなく、スムーズな排水を行うことができるものである。
【発明を実施するための最良の形態】
【００１４】
以下、この発明を実施するための最良の形態について、図面を参照しながら詳細に説明する。
【００１５】
図１は、本発明の一実施形態に係る集水器の排水構造を示し、（ａ）は平面図、（ｂ）は正面から見て、一部破断した断面図である。図２は、本発明の一実施形態に係る集水器の排水構造を示した縦断面図である。図３は、本発明の一実施形態に係る集水器の排水構造において、雨水が流れる様子を示した平面図である。
【００１６】
本発明の集水器の排水構造は、図１ないし図３に示すごとく、上面を開口している集水器（１）の側壁に設けた軒樋挿入口（２）に軒樋（４）の端部を挿入して接続し、上記集水器（１）の底部から縦樋に接続する排水筒（３）を垂下した集水器の排水構造において、上記排水筒（３）の上端の開口部分で上記集水器（１）の底面手前側に雨水を整流させる一対の前面整流リブ（７）をハの字型に配置して設けるとともに、同排水筒（３）の上端の開口部分で上記集水器（１）の底面後側に雨水を整流させる一対の後面整流リブ（８）をハの字型に配置して設けているものである。
【００１７】
上記集水器（１）は、図１ないし図３に示すごとく、上面を開口した角箱状に形成されているものであり、集水器（１）の両側の対向する側壁には軒樋（４）の形状に対応する形状の軒樋挿入口（２）を穿孔しているものである。そして、この集水器（１）の底面の中央には円筒状の排水筒（３）を下方に垂下しているものである。
【００１８】
上記集水器（１）の両側の軒樋挿入口（２）には、図１および図３に示すごとく、軒樋（４）の端部をそれぞれ挿入して接続してあり、排水筒（３）には縦樋を接続しているものである。この軒樋（４）や排水筒（３）としては、通常、アクリル樹脂のような樹脂製のものが採用されているが、その他にも銅やステンレス、鉄などの金属製のものが採用されたとしてもかまわないものである。
【００１９】
ところで、上記集水器（１）の両側の軒樋挿入口（２）に軒樋（４）の端部をそれぞれ挿入して接続している箇所では、図２に示すごとく、軒樋（４）の耳部（１０）が集水器（１）の上端部分に形成されているカバー部（９）にて覆い被せられるようにして装着されているものである。このようにして、集水器（１）に対しての軒樋（４）の挿入接続が確実になされているものである。
【００２０】
また、図１の（ａ）および図３に示すごとく、上記集水器（１）の底面の外周には内周側程低くなる斜面部（５）を設けているものである。この斜面部（５）は、ある程度急勾配で形成されているものである。この斜面部（５）と排水筒（３）の上端の開口の外周との間には、水平な平面部（６）を形成しているものである。
【００２１】
上記前面整流リブ（７）は、図１の（ａ）および図３に示すごとく、一対形成されているものであって、ハの字型に配置して設けているものである。この前面整流リブ（７）は、上記排水筒（３）の上端の開口部分で上記集水器（１）の底面手前側にあって、雨水を整流させているものである。この前面整流リブ（７）としては、上記集水器（１）と一体に形成されているものであってもかまわないし、別途形成されているものであってもかまわず、この点に関しては特に制限されるものではないものである。
【００２２】
上記後面整流リブ（８）は、図１の（ａ）および図３に示すごとく、上記前面整流リブ（７）と同様に、一対形成されているものであって、ハの字型に配置して設けているものである。この後面整流リブ（８）は、上記排水筒（３）の上端の開口部分で上記集水器（１）の底面後側にあって、雨水を整流させているものである。この後面整流リブ（８）としては、上記前面整流リブ（７）の場合と同様に、上記集水器（１）と一体に形成されているものであってもかまわないし、別途形成されているものであってもかまわず、この点に関しては特に制限されるものではないものである。
【００２３】
なお、上記後面整流リブ（８）は、上記前面整流リブ（７）よりも小さいものであるが、このように形成することによって、雨水を堰き止めるとともに水流の輪を作って整流させる位置を排水筒（３）の上端の開口部分において、中央部よりも後側の位置に調整されているものであり、上記前面整流リブ（７）と上記後面整流リブ（８）とのサイズは、このようにして必要に応じて調整することができるものである。
【００２４】
本発明は、このような構成をとることによって、軒樋（４）から集水器（１）内に流れ込んだ雨水は、一対の前面整流リブ（７）にて手前側を流れる雨水を堰き止めるとともに図３の矢印（Ｃ）に示すように水流の輪を作って整流させるとともに、一対の後面整流リブ（８）にて後側を流れる雨水を堰き止めるとともに図３の矢印（Ｄ）に示すように水流の輪を作って整流させ、このようにして、両側の軒樋（４）から流れ込んだ雨水（Ｗ）が排水筒（３）の上面の開口上方で衝突することなく誘導させて、同排水筒（３）内に導くことができるものであって、同集水器（１）から雨水が漏れることはなく、雨水をスムーズに排水筒（３）内に整流させながら誘導して、確実な排水を行うことができるものである。
【００２５】
以上のことから、本発明は、集水器（１）に流れ込んだ雨水をスムーズに排水筒（３）内に誘導して、同集水器（１）から雨水が漏れることなく、スムーズな排水を行うことができるものとなっている。
【００２６】
また、図１の（ａ）および図３に示すごとく、上記前面整流リブ（７）および上記後面整流リブ（８）が、雨水を上記排水筒（３）の内方に誘導する方向へカーブを描いたアール形状にそれぞれ形成されているものであると、軒樋（４）から集水器（１）内に流れ込んだ雨水がこのようなアール形状にそれぞれ形成されている前面整流リブ（７）および後面整流リブ（８）に直に当たったとしても、前面整流リブ（７）と後面整流リブ（８）のそれぞれ左右別々に４つの水流の輪を確実に形成して整流させることができるものとなり、その結果、集水器（１）に流れ込んだ雨水をより一層スムーズに排水筒（３）内に誘導して、同集水器（１）から雨水が確実に漏れることなく、より一層スムーズな排水を行うことができるものとなっている。
【００２７】
さらに、図１の（ｂ）および図２に示すごとく、上記集水器（１）の中腹部近傍まで上記前面整流リブ（７）および上記後面整流リブ（８）を立ち上げて形成しているものであると、軒樋（４）から集水器（１）内に流れ込んだ雨水がこのような集水器（１）の中腹部近傍まで立ち上げて形成された前面整流リブ（７）および後面整流リブ（８）に確実に当たるようになり、その結果、前面整流リブ（７）と後面整流リブ（８）のそれぞれ左右別々に４つの水流の輪を確実に形成して整流させることができるものとなり、そして、集水器（１）に流れ込んだ雨水をより一層スムーズに排水筒（３）内に誘導して、同集水器（１）から雨水が確実に漏れることなく、より一層スムーズな排水を行うことができるものとなっている。
【００２８】
なお、このように集水器（１）の中腹部近傍まで前面整流リブ（７）および後面整流リブ（８）を立ち上げて形成している場合、例えば、図２に示すごとき段形状を有している集水器（１）においては、同段形状よりも高く前面整流リブ（７）および後面整流リブ（８）を立ち上げてそれぞれ形成すれば良いものである。
【図面の簡単な説明】
【００２９】
【図１】本発明の一実施形態に係る集水器の排水構造を示し、（ａ）は平面図、（ｂ）は正面から見て、一部破断した断面図である。
【図２】本発明の一実施形態に係る集水器の排水構造を示した縦断面図である。
【図３】本発明の一実施形態に係る集水器の排水構造において、雨水が流れる様子を示した平面図である。
【図４】一従来例に係る集水器の排水構造を示し、（ａ）は平面図、（ｂ）は正面から見て、一部破断した断面図である。
【図５】他の一従来例に係る集水器の排水構造を示し、（ａ）は平面図、（ｂ）は正面から見て、一部破断した断面図である。
【符号の説明】
【００３０】
１    集水器
２    軒樋挿入口
３    排水筒
４    軒樋
７    前面整流リブ
８    後面整流リブ
【図１】
2005068862.tif 000003
【図２】
2005068862.tif 000004
【図３】
2005068862.tif 000005
【図４】
2005068862.tif 000006
【図５】
2005068862.tif 000007